(57)【要約】      （修正有）【課題】前傾扉の扉ラッチ機構に作動不良が起きても確実に開放操作ができ、また、扉ラッチ機構の自動点検による保守管理を可能とする。【解決手段】筐体前面の扉開口１１に開閉自在に設けられた前傾扉１４は扉ラッチ機構により閉鎖位置に保持されており、扉ハンドル１６の操作により閉鎖保持を解除して開放される。扉ラッチ機構には、前傾扉１６のラッチを解除して開放させる扉開放アシスト機構と扉ハンドルのタッチ操作を検出する接触センサーが設けられる。制御部は、接触センサーによる扉ハンドル１６のタッチ操作を検出した場合に、扉開放アシスト機構のリニアアクチュエータ５５で押圧レバー６２を回動してラッチ部材５０による閉鎖保持を解除した後に前傾扉１６を押して開放させる。自動点検ではリニアアクチュエータ５５により前傾扉が開放されない範囲で押圧レバー６２を動作させて正常に動作するか否か判定する。【選択図】図４
2020081300.tif 000002
【特許請求の範囲】
【請求項１】
筐体前面の扉開口に前傾扉が開閉自在に設けられたトンネル消火栓装置に於いて、
前記前傾扉を閉鎖位置に保持すると共に前記扉ハンドルの操作により前記前傾扉の閉鎖保持を解除して開放させる扉ラッチ機構と、
前記扉ラッチ機構による前記前傾扉の閉鎖保持を解除すると共に前記前傾扉を押して開放させる扉開放アシスト機構と、
前記扉ハンドルの操作を検出するセンサーと、
前記センサーにより前記扉ハンドルの操作を検出した場合に、前記扉開放アシスト機構を動作して前記前傾扉を開放させる制御部と、
が設けられたことを特徴とするトンネル消火栓装置。
【請求項２】
請求項１記載のトンネル消火栓装置に於いて、
前記扉ラッチ機構は、
筐体側のラッチ穴に係合する閉鎖位置と前記ラッチ穴から離脱した閉鎖解除位置との間でスライド移動自在に扉側に設けられたラッチ部材と、
前記扉ハンドルの開操作により回動され、前記ラッチ部材を前記閉鎖位置から閉鎖解除位置にスライド移動させて前記前傾扉の閉鎖保持を解除させるリンクアームと、
が設けられ、
前記扉開放アシスト機構は、
前記扉ラッチ機構の前記リンクアームから延在された押圧レバーと、
前記押圧レバーを押圧して前記リンクアームを回動させるリニアアクチュエータと、
を備え、
前記制御部は、前記センサーによる前記扉ハンドルの操作を検出した場合に、前記リニアアクチュエータにより前記押圧レバーを押し込んで前記リンクアームを回動させることにより、前記ラッチ部材を前記閉鎖位置から閉鎖解除位置にスライド移動させて前記前傾扉の閉鎖保持を解除させることを特徴とするトンネル消火栓装置。
【請求項３】
請求項１記載のトンネル消火栓装置に於いて、
前記扉ラッチ機構は、
前記扉ハンドルの背後に配置された軸により回動されるラッチアームの先端のラッチ爪を筐体側に固定されたラッチ穴に係合して前記前傾扉を閉鎖位置に保持し、
前記扉開放アシスト機構は、
前記扉ラッチ機構の前記ラッチアームから延在された押圧レバーと、
前記押圧レバーを押圧して前記ラッチアームを回動させるリニアアクチュエータと、
を備え、
前記制御部は、前記センサーによる前記扉ハンドルの操作を検出した場合に、前記リニアアクチュエータにより前記押圧レバーを押し込んで前記ラッチアームを前記閉鎖位置から閉鎖解除位置に回動させて前記前傾扉の閉鎖保持を解除させることを特徴とするトンネル消火栓装置。
【請求項４】
請求項２又は３記載のトンネル消火栓装置に於いて、
前記リニアアクチュエータは、前記前傾扉の閉鎖状態で前記扉前記押圧レバーから離れた初期位置に配置されていることを特徴とするトンネル消火栓装置。
【請求項５】
請求項１記載のトンネル消火栓装置に於いて、
前記センサーとして、前記扉ハンドルに対する人の操作力に応じた検出値を出力する接触センサーが前記扉ハンドルに設けられ、
前記制御部は、前記接触センサーからの前記検出値が所定値以上の場合に、前記扉ハンドルの操作を判定して前記扉開放アシスト機構を動作させることを特徴とするトンネル消火栓装置。
【請求項６】
請求項１記載のトンネル消火栓装置に於いて、
前記センサーとして前記扉ハンドルに対する人の接触を検出する複数の接触センサーが設けられ、
前記制御部は、前記複数の接触センサーから検知出力が得られた場合に、前記扉ハンドルの操作を判定して前記扉開放アシスト機構を動作させることを特徴とするトンネル消火栓装置。
【請求項７】
請求項１記載のトンネル消火栓装置に於いて、前記制御部は前記前傾扉の開放を検知した場合に、前記扉開放アシスト機構を動作前の初期位置に復帰させることを特徴とするトンネル消火栓装置。
【請求項８】
請求項１記載のトンネル消火栓装置に於いて、
前記制御部は、点検が指示された場合に、前記扉ラッチ機構による前傾扉の閉鎖保持を解除しない所定範囲で前記扉開放アシスト機構を動作させる点検動作を行って前記扉ラッチ機構が正常に動作するか否か判定することを特徴とするトンネル消火栓装置。
【請求項９】
請求項８記載のトンネル消火栓装置に於いて、
前記扉ラッチ機構には前記押圧レバーの扉開放位置への回転を検出する回転センサーが設けられており、
前記制御部は、前記扉開放アシスト機構による点検動作を行ったときの前記回転センサーからの前記検出値の変化から前記扉ラッチ機構が正常に動作するか否か判定することを特徴とするトンネル消火栓装置。
【請求項１０】
請求項８記載のトンネル消火栓装置に於いて、
前記制御部は、前記扉開放アシスト機構による点検動作に先立ち又は点検動作後に、前記扉開放アシスト機構により前記扉ラッチ機構を反復動作させることを特徴とするトンネル消火栓装置。
【発明の詳細な説明】
【技術分野】
【０００１】
本発明は、扉ハンドルの操作により前傾扉を開放し、ノズル付きのホースを引き出して消火するトンネル消火栓装置に関する。
【背景技術】
【０００２】
従来、高速道路や自動車専用道路などのトンネル内に設置するトンネル非常用設備として消火栓装置が設けられており、消火栓装置は開放自在な前傾扉を備え、先端にノズルを装着したホースと消火栓弁を含むバルブ類を収納している。
【０００３】
消火栓装置は、一般的に、トンネル側壁に沿って例えば５０メートル間隔でトンネル壁面に埋込み設置され、火災時に通行中の道路利用者を主な操作者として想定し、トンネル内で発生する比較的小規模の火災や初期段階での火災を消火するために設置されている。
【０００４】
トンネル消火栓装置は道路トンネルにおいては、初期消火手段として極めて重要な設備であり、道路管理者は定期的に点検を行い、保守維持管理に努めている。
【０００５】
しかしながら、道路供用後は、自動車が通行している中で点検を実施するなど、あるいは他の施設と合わせて実施する道路規制はまたは道路通行止めの際に点検を実施するなど、時間的制約、また安全上の規制など、維持管理には課題が多い。
【０００６】
さらに、近年、都市型の長大トンネルが出現するにあたり、消火栓装置一台当りの点検時間と設置台数を掛け合わせた最低必要時間を考えると、連日の点検が必要となることもあり、点検の質の維持、向上を実現することは、さらに難しくなってきている。また、今後、社会的には少子高齢化が進むことが確実であり、技術の承継だけでなく、そもそも人員不足により、点検要員が確保できなくなるという問題の解決も喫緊の課題である。
【０００７】
このような課題を解決する方法として、特許文献１に示すトンネル消火栓装置の点検システムが提案されている。この点検システムでは、消火栓弁に並列して電動弁を設けると共と、これに続く自動調圧弁装置の二次側に三方切替電動弁を設け、自動点検を行う場合には、遠隔操作により三方切替電動弁をホースへの給水側から排水側に切替えた後に消火栓弁に並列した電動弁を開放して消火用水を排水側に流し、ノズル付きホースから放水したと同等な放水試験を行い、自動調圧弁により正常な放水圧力が得られるか否か点検している。
【先行技術文献】
【特許文献】
【０００８】
【特許文献１】特開２０１１−１２０７１７号公報
【特許文献１】特開２００１−２４６００７号公報
【発明の概要】
【発明が解決しようとする課題】
【０００９】
しかしながら、このような従来の消火栓装置の自動点検は、放水機能に関わる点検を中心に行われているが、トンネル消火栓装置に起きる故障としては、扉ハンドルの操作により前傾扉のラッチを解除して開放させるための扉ラッチ機構の故障による作動不良も考えられる。
【００１０】
トンネル消火栓装置に設けられた前傾扉は、扉ハンドルにより操作されるラッチ機構により前傾扉を筐体前面の扉開口を閉鎖する位置に保持されており、扉ラッチ機構は扉ハンドルの動きをリンク機構によりラッチアームに伝えてアーム先端を筐体側のラッチ穴から外すことで、前傾扉を自重により扉下側を軸として前開きさせている。
【００１１】
しかし、トンネル供用が開始されてから期間が経過すると、ラッチ機構の可動部に粉塵や湿気が進入して付着し、これにより錆等が発生して固着し、道路利用者が消火栓装置を使用するために扉ハンドルを引こうとしても固着して動かず、消火栓装置を使用することができない場合が想定される。
【００１２】
本発明は、前傾扉の扉ラッチ機構に作動不良が起きても確実に開放操作ができ、また、扉ラッチ機構の自動点検による保守管理を可能とするトンネル消火栓装置を提供することを目的とする。
【課題を解決するための手段】
【００１３】
（トンネル消火栓装置）
本発明は、筐体前面の扉開口に前傾扉が開閉自在に設けられたトンネル消火栓装置に於いて、
前傾扉を閉鎖位置に保持すると共に扉ハンドルの操作により前傾扉の閉鎖保持を解除して開放させる扉ラッチ機構と、
扉ラッチ機構による前傾扉の閉鎖保持を解除すると共に前傾扉を押して開放させる扉開放アシスト機構と、
扉ハンドルの操作を検出するセンサーと、
センサーにより扉ハンドルの操作を検出した場合に、扉開放アシスト機構を動作して前傾扉を開放させる制御部と、
が設けられたことを特徴とする。
【００１４】
（扉ラッチ機構と扉アシスト機構その１）
扉ラッチ機構は、
筐体側のラッチ穴に係合する閉鎖位置とラッチ穴から離脱した閉鎖解除位置との間でスライド移動自在に扉側に設けられたラッチ部材と、
扉ハンドルの開操作により回動され、ラッチ部材を閉鎖位置から閉鎖解除位置にスライド移動させて前傾扉の閉鎖保持を解除させるリンクアームと、
が設けられ、
扉開放アシスト機構は、
扉ラッチ機構のリンクアームから延在された押圧レバーと、
押圧レバーを押圧してリンクアームを回動させるリニアアクチュエータと、
を備え、
制御部は、センサーによる扉ハンドルの操作を検出した場合に、リニアアクチュエータにより押圧レバーを押し込んでリンクアームを回動させることにより、ラッチ部材を閉鎖位置から閉鎖解除位置にスライド移動させて前傾扉の閉鎖保持を解除して開放させる。
【００１５】
（扉ラッチ機構と扉アシスト機構その２）
扉ラッチ機構は、
扉ハンドルの背後に配置された軸により回動されるラッチアームの先端のラッチ爪を筐体側に固定されたラッチ穴に係合して前傾扉を閉鎖位置に保持し、
扉開放アシスト機構は、
扉ラッチ機構のラッチアームから延在された押圧レバーと、
押圧レバーを押圧してラッチアームを回動させるリニアアクチュエータと、
を備え、
制御部は、センサーによる扉ハンドルのタッチ操作を検出した場合に、リニアアクチュエータにより押圧レバーを押し込んでラッチアームを閉鎖位置から閉鎖解除位置に回動させて前傾扉の閉鎖保持を解除して開放させる。
【００１６】
（扉ラッチ機構と扉開放アシスト機構の切離し構造）
リニアアクチュエータは、前傾扉の閉鎖状態で押圧レバーから離れた初期位置に配置されている。
【００１７】
（接触センサーによるハンドル操作の検知）
センサーとして、扉ハンドルに対する人の操作力に応じた検出値を出力する接触センサーが扉ハンドルに設けられ、
制御部は、接触センサーからの検出値が所定値以上の場合に、扉ハンドルの操作を判定して扉開放アシスト機構を動作させる。
【００１８】
（複数の接触センサーによるハンドル操作の検知）
センサーとして扉ハンドルに対する人の接触を検出する複数の接触センサーが設けられ、
制御部は、複数の接触センサーから検知出力が得られた場合に、扉ハンドルの操作を判定して扉開放アシスト機構を動作させる。
【００１９】
（扉開放による扉開放アシスト機構の復旧）
制御部は、前傾扉の開放を検知した場合に、扉開放アシスト機構を動作前の初期位置に復帰させる。
【００２０】
（扉ラッチ機構の自動点検）
制御部は、点検が指示された場合に、扉ラッチ機構による前傾扉の閉鎖保持が解除されない所定範囲で扉開放アシスト機構を動作させる点検動作を行って前記扉ラッチ機構が正常に動作するか否か判定する。
【００２１】
（回転センサーによる扉ラッチ機構の動作判定）
扉ラッチ機構には押圧レバーの閉鎖解除位置への回転を検出する回転センサーが設けられており、
制御部は、扉開放アシスト機構による点検動作を行ったときの回転センサーからの検出値から扉ラッチ機構が正常に動作するか否か判定する。
【００２２】
（点検機構による扉ラッチ機構の反復動作）
制御部は、扉開放アシスト機構による点検動作に先立ち又は点検動作後に、扉開放アシスト機構により扉ラッチ機構を反復動作させる。
【発明の効果】
【００２３】
（基本的な効果）
本発明は、筐体前面の扉開口に前傾扉が開閉自在に設けられたトンネル消火栓装置に於いて、前傾扉を閉鎖位置に保持すると共に扉ハンドルの操作により前傾扉の閉鎖保持を解除して開放させる扉ラッチ機構と、扉ラッチ機構による前傾扉の閉鎖保持を解除すると共に前傾扉を押して開放させる扉開放アシスト機構と、扉ハンドルの操作を検出するセンサーと、センサーにより扉ハンドルのタッチ操作を検出した場合に、扉開放アシスト機構を動作して前傾扉を開放させる制御部とが設けられため、道路利用者が前傾扉を開くために扉ハンドルに手をかけると、これがセンサーにより検出され、扉開放アシスト機構が動作して扉ラッチ機構による前傾扉の閉鎖保持が解除されると共に前傾扉が内側から押されることで開放され、人為的な扉ハンドルを引く操作を必要とすることなく前傾扉を自動的に開放させることができ、トンネルの供用期間が経過して、ラッチ機構の可動部に粉塵や湿気が進入して付着し、これにより錆等が発生して固着していたとしても、確実に前傾扉を開放させて消火栓装置を使用することができる。
【００２４】
（扉ラッチ機構と扉アシスト機構その１の効果）
また、扉ラッチ機構は、筐体側のラッチ穴に係合する閉鎖位置とラッチ穴から離脱した閉鎖解除位置との間でスライド移動自在に扉側に設けられたラッチ部材と、扉ハンドルの開操作により回動され、ラッチ部材を閉鎖位置から閉鎖解除位置にスライド移動させて前傾扉の閉鎖保持を解除させるリンクアームと、
が設けられ、扉開放アシスト機構は、扉ラッチ機構のリンクアームから延在された押圧レバーと、押圧レバーを押圧してリンクアームを回動させるリニアアクチュエータとを備え、制御部は、センサーによる扉ハンドルの操作を検出した場合に、リニアアクチュエータにより押圧レバーを押し込んでリンクアームを回動させることにより、ラッチ部材を閉鎖位置から閉鎖解除位置にスライド移動させて前傾扉の閉鎖保持を解除して開放させるようにしたため、扉ラッチ機構はラッチ部材がスライドしリンクアームが軸により回転することで可動部を少なくしており、粉塵や湿気が進入して付着した場合の錆等の発生による可動部の固着を置きにくくしている。また、扉開放アシスト機構を設けていても、扉ラッチ機構のハンドル操作による前傾扉の手動開放が可能であり、扉開放アシスト機構が故障に対しフェイルセーフが確保できる。
【００２５】
また、扉開放アシスト機構は、扉ラッチ機構の可動部、即ちアームリンクの回転軸やラッチ部材のスライド部に錆などが発生して固着していても、リニアアクチュエータによる押圧レバーの押し込みで扉ラッチ機構のリンクアームをラッチ解除方向に回動させてラッチ部材を閉鎖解除位置に移動させることで、前傾扉の閉鎖保持を開放させることができる。
【００２６】
また、扉ラッチ機構が正常に機能する場合には、人による操作力と扉開放アシスト機構の作動により扉ラッチ機構の閉鎖保持が解除され、続いて、前傾扉が押し出されることで、人による扉ハンドルの操作が非常に軽くなり、高い操作性が得られる。
【００２７】
（扉ラッチ機構と扉アシスト機構その２の効果）
また、扉ラッチ機構は、扉ハンドルの背後に配置された軸により回動されるラッチアームの先端のラッチ爪を筐体側に固定されたラッチ穴に係合して前傾扉を閉鎖位置に保持し、扉開放アシスト機構は、扉ラッチ機構のラッチアームから延在された押圧レバーと、押圧レバーを押圧してラッチアームを回動させるリニアアクチュエータとを備え、制御部は、センサーによる扉ハンドルの操作を検出した場合に、リニアアクチュエータにより押圧レバーを押し込んでラッチアームを閉鎖位置から閉鎖解除位置に回動させて前傾扉の閉鎖保持を解除して開放させるようにしたため、扉ラッチ機構の可動部はラッチアームを軸により回転自在に設けているだけで可動部が更に少なくなり、粉塵や湿気が進入して付着した場合の錆等の発生による可動部の固着を置きにくくしている。また、扉開放アシスト機構を設けていても、扉ラッチ機構のハンドル操作による前傾扉の手動開放が可能であり、扉開放アシスト機構が故障に対しフェイルセーフが確保できる。
【００２８】
また、扉開放アシスト機構は、扉ラッチ機構の可動部、即ちラッチアームの回転軸に錆などが発生して固着していても、リニアアクチュエータによる押圧レバーの押し込みで扉ラッチ機構のラッチアームをラッチ解除方向に回動させてラッチ部材を閉鎖解除位置に移動させることで、前傾扉の閉鎖保持を開放させることができる。
【００２９】
また、扉ラッチ機構が正常に機能する場合には、人による操作力と扉開放アシスト機構の作動により扉ラッチ機構の閉鎖保持か解除され、続いて、前傾扉が押し出されることで、人による扉ハンドルの操作が非常に軽くなり、高い操作性が得られる。
【００３０】
（扉ラッチ機構と扉開放アシスト機構の切離し構造）
また、リニアアクチュエータは、前傾扉の閉鎖状態で押圧レバーから離れた初期位置に配置されているため、扉開放アシスト機構は前傾扉の閉鎖状態では、扉ラッチ機構から機械的に切り離されており、扉開放アシスト機構が故障しても、これに影響されることなく扉ハンドルを従来と同様に操作して前傾扉を開放することができ、高いフェールセーフ性が確保できる。
【００３１】
（接触センサーによるハンドル操作の検知による効果）
また、センサーとして、扉ハンドルに対する人の接触力に応じた検出値を出力する接触センサーが設けられ、制御部は、接触センサーからの検出値が所定値以上の場合に、扉ハンドルの操作を判定して扉開放アシスト機構を動作させるようにしたため、道路利用者による扉ハンドルの開操作を確実に検出して扉開放アシスト機構の動作により前傾扉を開放させることができる。また、点検等の際に、扉ハンドルに手が触れても、扉ハンドルを引く力を加えない限り、扉開放アシスト機構により誤って前傾扉を開いてしまうことがない。
【００３２】
（複数の接触センサーによるハンドル操作の検知による効果）
また、センサーとして扉ハンドルに対する人の接触を検出する複数の接触センサーが設けられ、制御部は、少なくとも２つの接触センサーから検知出力が得られた場合に、扉ハンドルの操作を判定して扉開放アシスト機構を動作させるようにしたため、道路利用者が扉ハンドルに手を入れて手前に引こうとする開操作を少なくとも２つの接触センサーにより確実に検出して扉開放アシスト機構の動作により前傾扉を開放させることができる。また、点検等の際に、扉ハンドルに手が触れても、扉を開くように扉ハンドルに手をかけない限り、扉開放アシスト機構により誤って前傾扉を開いてしまうことがない。
【００３３】
（扉開放による扉開放アシスト機構の復旧による効果）
また、制御部は、前傾扉の開放を検知した場合に、扉開放アシスト機構を動作前の初期位置に復帰させるようにしたため、扉開放アシスト機構は扉ラッチ機構を動作させて前傾扉を開放させると、開放された扉開口の中に例えばリニアアクチュエータの駆動部を前方に突出させた動作状態となるが、前傾扉が開放した後に初期位置に復帰させることで、ノズル付きホースの引き出しによる消火作業の妨げにならないようにする。
【００３４】
（扉ラッチ機構の自動点検による効果）
また、制御部は、点検が指示された場合に、扉ラッチ機構による前傾扉の閉鎖保持が解除されない所定範囲で扉開放アシスト機構を動作させる点検動作を行って前記扉ラッチ機構が正常に動作するか否か判定するようにしたため、消火栓装置の定期点検などで、例えば防災受信盤からの指示で扉開放アシスト機構を扉ラッチ機構による前傾扉の閉鎖保持が完全に解除されない程度に動作させて正常に動作するか否かの自動点検が可能となり、錆の発生等による扉ラッチ機構の固着等の状態を点検により知って適切に対応できる。
【００３５】
また、扉開放アシスト機構による扉ラッチ機構の点検動作による動きで、扉ラッチ機構における可動部の固着を解除することもできる。
【００３６】
（回転センサーによる扉ラッチ機構の動作判定の効果）
また、扉ラッチ機構には押圧レバーの閉鎖解除位置への回転を検出する回転センサーが設けられており、制御部は、扉開放アシスト機構による点検動作を行ったときの回転センサーからの検出値から扉ラッチ機構が正常に動作するか否か判定するようにしたため、扉開放アシスト機構の点検動作による押圧レバーの動きを回転センサーで検出することにより、回転が検出されれば正常と判定し、回転が検出されなければ可動部の固着等による異常と判定して必要な対応をとることができる。
【００３７】
（扉開放アシスト機構による扉ラッチ機構の反復動作による効果）
また、制御部は、扉開放アシスト機構による点検動作に先立ち又は点検動作後に、扉開放アシスト機構により扉ラッチ機構を反復動作させるようにしたため、扉ラッチ機構の可動部に錆などが発生して動き難くなっていても、点検動作に加え、扉ラッチ機構を閉鎖位置と閉鎖解除位置との間で往復動作させることで、可動部の動きを回復させ、次の点検までの間、扉ハンドルの操作により前傾扉の開放が確実にできることを保証可能とする。
【図面の簡単な説明】
【００３８】
【図１】消火栓装置の正面図
【図２】消火栓装置の前傾扉を開いた状態における平面図
【図３】消火栓装置の前傾扉を開いた状態における側面図
【図４】前傾扉の扉ラッチ機構と扉開放アシスト機構の実施形態を示した説明図
【図５】扉ハンドルを取り出して接触センサーの配置を示した説明図
【図６】扉開放アシスト機構による扉ラッチ機構の閉鎖保持の解除動作を示した説明図
【図７】扉開放アシスト機構の押し出しによる前傾扉の開放を示した説明図
【図８】扉開放アシスト機構の制御系統を示したブロック図
【図９】前傾扉の扉開放アシスト制御を示したフローチャート
【図１０】前傾扉の扉ラッチ機構と扉開放アシスト機構の他の実施形態を示した説明図
【図１１】図１０の扉開放アシスト機構による扉ラッチ機構の閉鎖保持の解除動作を示した説明図
【発明を実施するための形態】
【００３９】
［消火栓装置の概要］
図１は消火栓装置の正面図、図２は消火栓装置の前傾扉を開いた状態における平面図、図３は消火栓装置の前傾扉を開いた状態における側面図である。
【００４０】
図１乃至図３に示すように、消火栓装置１０は、装置本体（筐体）１２の前面右側の扉開口１１に、のとして機能する前傾扉１４と保守扉１５が設けられており、その内部がホース収納空間及びバルブ類収納空間となっている。
【００４１】
前傾扉１４は前倒し式の開閉扉であり、扉下側のヒンジを中心に上側にある扉ハンドル１６に手を入れて手前に引くことにより、図３に示すように、前傾扉１４を前方下側に開放することができる。
【００４２】
前傾扉１４の上には、上側のヒンジを中心に上向きに開閉する保守扉１５が設けられており、点検時に前傾扉１４を開いて上方向に持ち上げることで開くことができる。
【００４３】
装置本体１２の左側扉開口に設けられた消火器扉２６の右側には通報装置扉１８が設けられ、ここに押釦通報装置（発信機）２０、赤色表示灯２２が設けられている。押釦通報装置２０は、透明な保護板の背後に押釦スイッチが配置されており、保護板を押し込むことで押釦スイッチがオンし、監視センターの防災受信盤に火災通報信号を送信して火災警報を出力させる。
【００４４】
赤色表示灯２２は常時点灯し、消火栓装置１０の設置場所が遠方から分かるようにしている。火災時には、押釦通報装置２０を押して火災通報信号が監視センターの防災受信盤に送信されて火災警報が出され、これに伴い応答信号が防災受信盤から送られて、赤色表示灯２２が点滅される。また、応答ランプ２４が点灯する。
【００４５】
通報装置扉１８の左側には消火器扉２６が設けられ、内部に２本の消火器２ずる８が収納されている。
【００４６】
装置本体１２の前傾扉１４の背後に形成されたホース収納空間には放水ホース３８が内巻きして収納され、放水ホース３８の先端には消火栓ノズル４０が装着され、消火栓ノズル４０は前傾扉１４の裏面に配置されたノズルホルダー４２に着脱自在に保持されている。
【００４７】
ホース収納空間の右側に配置したバルブ類収納空間には、ポンプ設備からの配管が接続される消火配管接続口３０からホース接続口に至る配管系統に、給水弁３２、消火栓弁を含む放水バルブ系統が設けられている。
【００４８】
消火栓弁に対しては前傾扉１４の裏側に配置された消火栓弁開閉レバー３６が設けられ、消火栓弁開閉レバー３６を操作すると、平行リンクワイヤー機構を介して消火栓弁の開閉操作が行われる。
【００４９】
また、図３に示すように、装置本体１２内には、前傾扉１４の開閉を検出するリミットスイッチ等を用いた扉開閉センサー４４が設けられている。
【００５０】
［前傾扉の扉ラッチ機構と扉開放アシスト機構］
図４は前傾扉の扉ラッチ機構と扉開放アシスト機構の実施形態を示した説明図である。
【００５１】
（扉ラッチ機構）
図４に示すように、前傾扉１４の扉ラッチ機構は、扉ハンドル１４、軸４５、リンクアーム４８、ラッチ爪５２を備えたラッチ部材５０、固定プレート５３に形成されたラッチ穴５４で構成される。
【００５２】
扉ハンドル１６は前面開口にハンドルカバー１６ａが設けられたハンドルケース１６ｂに収納されており、扉ハンドル１６の背後に一体に形成されたリンクアーム４８の付け根側の軸４５により回動自在に設けられている。
【００５３】
ハンドルケース１６ｂの背後には縦方向にスライド穴４７が形成され、スライド穴４７の中にリンクアーム４８が上下方向に移動自在に収納され、スライド穴４７の下部にはスプリング４９が組み込まれ、ラッチ部材５０を上方に付勢している。
【００５４】
ラッチ部材５０８はその途中にリンク穴４６が形成されており、リンク穴４６にリンクアーム４８が通されている。ラッチ部材５０の上端にはラッチ爪５２が形成され、ラッチ爪５２は扉枠部材１２ａ側に固定された固定プレート５３に形成されたラッチ穴５４に下側から係合され、前傾扉１４を扉開口１１に閉じてゴムブッシュ７０に当たる閉鎖位置に保持している。
【００５５】
（扉開放アシスト機構）
扉ラッチ機構に対しては扉開放アシスト機構が設けられる。扉開放アシスト機構は、ネジシャフト５８を進退させる直動モータ５６を備えたリニアアクチュエータ５５、ネジシャフト５８の先端に設けられたプランジャー６０，リンクアーム４８から延在されて下向きに配置された押圧レバー６２、回転センサー６４及び接触センサ―７２で構成される。
【００５６】
リニアアクチュエータ５５の直動モータ５６はボルト６６とナット６８により扉枠部材１２ａに固定されている。直動モータ５６は例えばステッピングモータであり、ネジ穴を備えたロータを回転させることで、ロータネジ穴に嵌め込まれたネジシャフト５８を水平方向に前進又は後退させる。なお、リニアアクチュエータ５５はプランジャー６０を進退できるものであれば、適宜の構造が含まれる。
【００５７】
また、リニアアクチュエータ５５のプランジャー６０は前傾扉１４が閉鎖保持された状態で押圧レバー６２から離れた初期位置に配置されており、これにより扉ラッチ機構と扉開放アシスト機構は通常状態では機械的に分離されており、扉ハンドル１６の操作による前傾扉１４の操作は扉開放アシスト機構を設けていても影響は受けない。
【００５８】
押圧レバー６２が一体に形成されたリンクアーム４８に対してはリミットスイッチを用いた回転センサー６４が設けられており、リニアアクチュエータ５５のプランジャー６０による押圧レバー６２の回転を検出して回転検出信号を出力する。
【００５９】
接触センサ―７２は扉ハンドル１６の裏側に配置され、道路利用者が扉ハンドル１６を操作するためにハンドルケース１６ｂ内に下側から手を入れて引こうする場合の指の接触を検出する。接触センサ―７２としては、指の接触により抵抗値の変化する感圧センサーや応力歪を検出する圧電センサー等が用いられる。
【００６０】
図５は扉ハンドルを取り出して接触センサーの配置を示した説明図である。図５（Ａ）は扉ハンドル１６の裏面に単一の接触センサー７２を配置した場合である。この場合には、扉ハンドル１６を操作しようとする道路利用者の接触力に応じた検出値を出力し、接触センサー７２からの検出値が所定値以上の場合に、扉ハンドル１６の操作を判定して扉開放アシスト機構を動作させる。
【００６１】
図５（Ｂ）は扉ハンドル１６の裏面に複数の接触センサ―７２を配置した場合である。この場合には道路利用者が扉ハンドル１６に手を入れて手前に引こうとするときの指の接触を、少なくとも２つの接触センサー７２により検出したときに扉ハンドル１６の操作を判定して扉開放アシスト機構を動作させる。
【００６２】
また、接触センサー７２に代えて、回転センサーが微少なリンクアームの動作を検出したときに扉開放アシスト機構を動作させるようにしても良い。扉開放アシスト機構を動作させるために扉ハンドル１６の操作によるリンクアームの動きが必要となるが、簡単な構成とすることができる。
【００６３】
［扉ラッチ機構の点検動作］
図６は扉開放アシスト機構による扉ラッチ機構の閉鎖保持の解除動作を示した説明図、図７は扉開放アシスト機構の押し出しによる前傾扉の開放を示した説明図である。
【００６４】
消火栓装置１０の前傾扉１４を開放させる場合、道路利用者は扉ハンドル１６に手を入れて手前に引く操作を行う。このとき扉ハンドル１６の裏側に設けられた接触センサ―７２が検出信号を出力し、後の説明で明らかにする制御部がハンドル操作を判別し、リニアアクチュエータ５５に設けた直動モータ５６の駆動によりネジシャフト５８を前進させ、これに伴いプランジャー６０を押圧レバー６２に向けて前進させる。
【００６５】
プランジャー６０の先端が押圧レバー６２に当たると、押し込みを受けて押圧レバー６２及びリンクレバー４８が一体に軸４５を中心に時計回りに回転し、リンクレバー４８がリンク穴４６に通しているラッチ部材５０をスプリング４９に抗して押し下げ、ラッチ部材５０の先端のラッチ爪５２によるラッチ穴５４に対する係合が解除され、前傾扉１６の閉鎖保持が解除される。
【００６６】
また、リニアアクチュエータ５５によるプランジャー５５に移動量がＬ１に達すると、回動した押圧レバー６２の下端が前傾扉１４の内側に当接し、この状態でリニアアクチュエータ５５は更にプランジャー６２を前進させる。このため図７に示すように、前傾扉１４はリニアアクチュエータ５５によるプランジャー５５の移動量がＬ２に増加することで、前方に押し出され、図３に示したように下向きに開放される。
【００６７】
前傾扉１４が開放されると扉開閉センサ―４４により前傾扉１４の開放が検出され、制御部は図７に示すように前方の押し出したプランジャー６０を図４に示した初期位置に戻すようにリニアアクチュエータ５５を動作させ、プランジャー６０の飛び出しでホース引き出し作業等の邪魔にならないようにする。
【００６８】
［扉ハンドルによる開操作］
扉開放アシスト機構が故障して動作しない場合には、図４に示した前傾扉１４の閉鎖保持状態で扉ハンドル１６の下に手をいれて手前に引く操作を行うと、軸４５を中心にリンクアーム４８が時計回りに回転してラッチ部材５０を引き下げ、ラッチ爪５２がラッチ穴５４から抜け出すことで前傾扉１４の閉鎖保持が解除され、閉鎖保持が解除された前傾扉１４は扉下側を軸として回動し、図３に示したように前傾扉１４を開放させることができる。
【００６９】
このような扉ハンドル１６の操作による前傾扉１４の開放は、扉開放アシスト機構が初期位置で機械的に分離されているため、即ち、前傾扉１４側の押圧レバー６２に対し装置本体１２側のリニアアクチュエータ５５のプランジャー６０が初期位置で離れているため、扉開放アシスト機構に影響されることなく、扉ハンドル１６の操作により前傾扉１４を開放させることができる。
【００７０】
［扉開放アシスト制御動作］
図８は扉開放アシスト機構に設けられた制御系統を示したブロック図である。図８に示すように、消火栓装置に設けられた扉ラッチ機構をアシストする扉開放アシスト機構には制御部７４が設けられる。制御部７４は、コンピュータ回路を用いた制御回路部と有線通信を行う通信部を備える。通信部による通信は無線通信としても良い。
【００７１】
制御部７４には接触センサ―７２、扉開閉センサ―４４及び回転センサー６４からの信号線が入力され、また、図４に示したプランジャー６０を進退させる直動モータ５６を備えたリニアクチュエータ５５に対し信号線が出力される。また、制御部７４に設けられた通信部からトンネルの監視室等に設置された防災受信盤に対し通信線が接続されている。
【００７２】
制御部７４は、接触センサー７２により扉ハンドル１６のタッチ操作を検出した場合に、扉開放アシスト機構のリニアアクチュエータ５５を動作して前傾扉１４を開放させる制御を行う。
【００７３】
また、制御部７４は、防災受信盤からの点検指示信号が受信された場合に、扉ラッチ機構による前傾扉１４の閉鎖保持を解除しない所定範囲で扉開放アシスト機構を動作させる点検動作を行い、扉ラッチ機構が正常に動作するか否か判定する点検動作を行う。
【００７４】
図９は前傾扉の扉開放アシスト制御を示したタイムチャートであり、図８に示した制御部７４による制御動作となる。
【００７５】
図９に示すように、制御部７４はステップＳ１で接触センサー７２の検出出力ありを判別するとステップＳ２に進み、ここで図５（Ａ）に示したように扉ハンドル１６の裏側に単一の接触センサ―７２が設けられていた場合を例にとると、接触センサ―７２の検出値が所定の閾値以上であることを判別した場合に、扉ハンドル１６の操作を認識してステップＳ３に進み、リニアアクチュエータ５５によりプランジャー６０を前進させる開放駆動を行う。
【００７６】
なお、図５（Ｂ）に示したように、扉ハンドル１６の裏側に複数の接触センサ−７２が設けられた場合には、制御部７４はステップＳ２で２以上の接触センサ−７２からの検出出力が得られた場合に扉ハンドル１６の操作を認識してステップＳ３に進むことになる。
【００７７】
ステップＳ３でリニアアクチュエータ５５の開放駆動を開始した制御部７４は、ステップＳ４で扉開閉センサ―４４による前傾扉１４の開放検出を判別するとステップＳ５に進み、リニアアクチュエータ５５を押圧レバー６２からプランジャー６０が離れた初期位置に復帰させる。
【００７８】
続いて、制御部７４は、ステップＳ６で防災受信盤からの点検指示信号の受信を判別するとステップＳ７に進み、リニアアクチュエータ５５により扉ラッチ機構を前傾扉１７の閉鎖保持が解除されない所定範囲でリニアアクチュエータ５５を開放駆動させる点検動作を行う。
【００７９】
例えば、リニアアクチュエータ５５は、ラッチ爪５２がラッチ穴５４から外れない範囲でラッチ部材５０を引き下げるように押圧レバー６０を回動させるプランジャー６０の移動量となるようにリニアアクチュエータ５５を動作させる点検動作を行う。
【００８０】
続いて制御部７２は、ステップＳ８で点検動作に伴う回転センサー６４の検出信号を読み込み、回転検出信号が得られて正常に動作したことをステップＳ９で判別するとステップＳ９に進み、扉ラッチ機構が正常に動作することを示す点検正常信号を防災受信盤に送信する。
【００８１】
これに対し制御部７４がステップＳ９で回転センサー６４の検出信号から回転検出が判別されなかった場合は、扉ラッチ機構が錆などによりラッチ部材５０や軸４５が固着して動かないことを示す点検異常信号を防災受信盤に送信し、障害警報を出力させる。
【００８２】
続いて制御部４はステップＳ１０またはＳ１１で点検結果の送信を行うとステップＳ１２に進み、リニアアクチュエータ５５を複数回往復移動させて扉ラッチ機構を反復動作させ、扉ラッチ機構の軸４５を往復回転させると共にラッチ部材５０をスライド移動させて動き易くし、これにより次に点検制御を行うまでに軸４５やラッチ部材５０の固着が起きにくいようにする。なお、ステップＳ１２のリニアアクチュエータ５５の反復動作は、ステップＳ６で点検指示を判別して点検動作を行う前に行うようにしても良い。
【００８３】
続いて、制御部７２はリニアアクチュエータ５５により、図４に示すように、プランジャー６０を押圧レバー６２から離れて機械的に分離された初期位置に復帰させ、ステップＳ１に戻る。
【００８４】
回転センサー６４は所定角度の回転を検出するものであっても、回転角度量を検出するものどちらを用いても良いが、回転角度量を検出するものが好適である。回転角度量を検出するものであれば、機器ごとの細かい角度調整が可能となり、開放しない程度に押圧レバー６２を押すことが実施しやすくなる。
【００８５】
［前傾扉の扉ラッチ機構と扉開放アシスト機構の他の実施形態］
図１０は前傾扉の扉ラッチ機構と扉開放アシスト機構の他の実施形態を示した説明図、図１１は図１０の扉開放アシスト機構による扉ラッチ機構の閉鎖保持の解除動作を示した説明図である。
【００８６】
（扉ラッチ機構）
図１０に示すように、本実施形態の扉ラッチ機構は、扉ハンドル１４、軸４５、ラッチ爪７８を備えたラッチアーム７６、固定プレート５３に形成されたラッチ穴８０で構成される。
【００８７】
ラッチアーム７６は扉ハンドル１６の背後から延在され、上方に屈曲された先端にラッチ爪７８が形成されており、ラッチアーム７６の付け根側の軸４５により回動自在に設けられ、軸４５に設けられた図示しないバネにより閉鎖位置に保持されている。
【００８８】
本実施形態の扉ラッチ機構は、可動部がラッチアーム７６の軸４５による回転部分のみであり、図４の扉ラッチ機構に比べ可動部が少ないことから、粉塵や湿気が進入して付着し、錆等が発生して固着しにくい構造としている。
【００８９】
（扉開放アシスト機構）
扉ラッチ機構に対しては扉開放アシスト機構が設けられる。本実施形態の扉開放アシスト機構は、ネジシャフト５８を進退させる直動モータ５６を備えたリニアアクチュエータ５５、ネジシャフト５８の先端に設けられたプランジャー６０，ラッチアーム７６から延在されて下向きに配置された押圧レバー８２、回転センサー６４及び接触センサー７２で構成される。
【００９０】
本実施形態の扉開放アシスト機構は、ラッチアーム７６と一体に設けられた押圧レバー８２以外は、図４に示した扉開放アシスト機構と同じになることから、同一符号を付してその説明は省略する。
【００９１】
（扉ラッチ機構のアシスト動作）
図８に示した制御部７４は接触センサー７２の検出出力により扉ハンドル１６の操作を判別すると、図１１に示すように、リニアアクチュエータ５５によりプランジャー６０を前進させ、押圧レバー８２の押し込みによりラッチレバー７６を時計回りに回転し、ラッチ爪７８をラッチ穴８０から抜いて前傾扉１４の閉鎖保持を解除する。
【００９２】
続いて制御部７４はリニアアクチュエータ５５の駆動によりプランジャー６０を更に前進させ、閉鎖保持が解除された前傾扉１４を押し出して開放させ、扉開閉センサー４４により前傾扉１４の開放が検出されると、リニアアクチュエータ５５を押圧レバー６２からプランジャー６０が離れた初期位置に復帰させる。
【００９３】
（点検制御）
制御部７４は、防災受信盤からの点検指示信号を受信すると、リニアアクチュエータ５５により扉ラッチ機構を前傾扉１７の閉鎖保持が解除されない所定範囲で開放駆動させる点検動作を行う。
【００９４】
例えば、リニアアクチュエータ５５は、ラッチ爪７８がラッチ穴８０から外れず、且つ回転センサー６４がオンする範囲でラッチアーム７６を押圧レバー８２により回動させるプランジャー６０の移動量となるようにリニアアクチュエータ５５を動作させる点検動作を行う。
この点検動作により、制御部７２は、回転センサー６４の検出信号から回転が判別された場合は点検正常信号を防災受信盤に送信し、回転センサー６４の検出信号から回転が判別されなかった場合は、点検異常信号を防災受信盤に送信し、障害警報を出力させる。
【００９５】
また、制御部７４は点検動作が終了すると、リニアアクチュエータ５５を複数回往復移動させて扉ラッチ機構を反復動作させ、ラッチアーム７６を軸４５に対し往復回転させて動き易くし、これにより次に点検制御を行うまでに軸４５の固着が起きにくいようにする。
【００９６】
最終的に、制御部７２はリニアアクチュエータ５５により、図１０に示すように、プランジャー６０を押圧レバー６２から離れて機械的に分離された初期位置に復帰させる。
【００９７】
［本発明の変形例］
（点検動作の検出）
上記の実施形態は、扉開放アシスト機構により点検動作された扉ラッチ機構の動きを、押圧レバー６２，８２の回転を検出する回転センサー６４で行っているが、ラッチ爪５２，７８が係合するラッチ穴５４，８０の開口部に歪センサー等の応力センサーを設け、扉開放アシスト機構の点検動作による扉ラッチ機構の動きで、例えばラッチ穴５４に係合しているラッチ爪５２により加わる応力を応力センサーで検出するようにし、応力検出値が低下すれば点検正常と判定し、応力検出値が変化しなければ点検異常と判定して必要な対応をとるようにしても良い。
【００９８】
（その他）
また、本発明はその目的と利点を損なうことのない適宜の変形を含み、更に上記の実施形態に示した数値による限定は受けない。
【符号の説明】
【００９９】
１０：消火栓装置
１１：扉開口
１２：装置本体
１４：前傾扉
１５：保守扉
１６：扉ハンドル
１６ａ：ハンドルカバー
１６ｂ：ハンドルケース
１８：通報装置扉
２０：押釦通報装置
２２：赤色表示灯
２４：応答ランプ
２５：ヒンジ
２６：消火器扉
２８：消火器
３０：消火配管接続口
３２：給水弁
３６：消火栓弁開閉レバー
３８：ホース
４０：消火栓ノズル
４２：ノズルホルダー
４４：扉開閉センサ―
４６：軸
４８：リンクアーム
５０：ラッチ部材
５２，７８：ラッチ爪
５３：固定プレート
５４，８０：ラッチ穴
５５：リニアアクチュエータ
５６：直動モータ
５８：ネジシャフト
６０：プランジャー
６２，８２：押圧レバー
６４：回転センサー
７０：ゴムブッシュ
７２：接触センサー
７４：制御部
７６：ラッチアーム
【図１】
2020081300.tif 000003
【図２】
2020081300.tif 000004
【図３】
2020081300.tif 000005
【図４】
2020081300.tif 000006
【図５】
2020081300.tif 000007
【図６】
2020081300.tif 000008
【図７】
2020081300.tif 000009
【図８】
2020081300.tif 000010
【図９】
2020081300.tif 000011
【図１０】
2020081300.tif 000012
【図１１】
2020081300.tif 000013